(57)【特許請求の範囲】
【請求項１】
手書き入力が可能な情報処理装置であって、
手書き入力が可能な入力用ページ及び前記入力用ページの総ページ数を表示する表示部と、
前記入力用ページを前後方向にページ送りするページ送り部を含み、前記入力用ページへの手書き入力を含むユーザーからの入力を受け付ける入力部と、
前記入力部を介して受け付けたユーザーによる入力に基づいて、前記表示部における表示の制御を行う制御部と、
を備え、
前記制御部は、
前記表示部に手書き入力がされた状態の最初又は最後の前記入力用ページである第１入力用ページを表示しているときに前記ページ送り部を介して前記前後方向のうち前記入力用ページが存在しない第１方向にページ送りする入力が行われると、前記表示部に新規の前記入力用ページである第２入力用ページを表示し、
前記表示部に表示した前記第２入力用ページに手書き入力がされていない状態で、前記第２入力用ページを除いた前記入力用ページの総ページ数を前記表示部に表示させ、前記ページ送り部を介して前記第１方向とは逆方向の第２方向にページ送りする入力が行われると、前記第２入力用ページを残留させずに、前記第１入力用ページを、最初又は最後の入力用ページとし、
前記表示部に表示した前記第２入力用ページに手書き入力がされた状態で、前記第２方向にページ送りする入力が行われると、前記手書き入力がされた状態の第２入力用ページを残留させる、
情報処理装置。
【請求項２】
前記制御部は、前記第２入力用ページに手書き入力がされた場合、前記入力用ページの総ページ数を増加させる、
請求項１に記載の情報処理装置。
【請求項３】
前記制御部は、前記表示部に、手書き入力がされていない状態の前記第２入力用ページを表示しているときに、前記ページ送り部を介して前記第１方向にページ送りする入力が行われても、前記表示部に更なる新規の入力用ページを表示しない、
請求項２に記載の情報処理装置。
【請求項４】
前記制御部は、
前記表示部に前記第２入力用ページを表示する制御として、
前記表示部に最初の第１入力用ページを表示した状態にある場合にのみ、前記第１方向にページ送りする入力が行われると、前記第２入力用ページを前記表示部に表示する第１制御、
前記表示部に最後の第１入力用ページを表示した状態にある場合にのみ、前記第１方向にページ送りする入力が行われると、前記第２入力用ページを前記表示部に表示する第２制御、及び
前記表示部に最初の第１入力用ページを表示した状態及び最後の第１入力用ページを表示した状態のいずれもの場合において、前記第１方向にページ送りする入力が行われると、前記第２入力用ページを前記表示部に表示する第３制御、のいずれかを行う
請求項２又は３に記載の情報処理装置。
【請求項５】
１又は複数の前記入力用ページから構成される文書が複数存在する場合、
前記制御部は、前記複数の文書の最初の表示順序の文書における最初の入力用ページ又は前記複数の文書の最後の表示順序の文書における最後の入力用ページを表示しているときに、前記ページ送り部を介して前記第１方向にページ送りする入力が行われると、前記表示部に前記第２入力用ページを表示する、
請求項２〜４のいずれか１項に記載の情報処理装置。
【請求項６】
手書き入力が可能な情報処理装置であって、
手書き入力が可能な入力用ページを表示する表示部と、
前記入力用ページを前後方向にページ送りするページ送り部を含み、前記入力用ページへの手書き入力を含むユーザーからの入力を受け付ける入力部と、
前記入力部を介して受け付けたユーザーによる入力に基づいて、前記表示部における表示の制御を行う制御部と、
を備え、
前記制御部は、
前記表示部に手書き入力がされた状態の最初又は最後の第１入力用ページを表示しているときに前記ページ送り部を介して前記前後方向のうち入力用ページが存在しない第１方向にページ送りする入力が行われると、前記表示部に新規の第２入力用ページを表示し、
前記表示部に表示した前記第２入力用ページに手書き入力がされていない状態で、前記ページ送り部を介して前記第１方向とは逆方向の第２方向にページ送りする入力が行われると、前記第２入力用ページを残留させずに、前記第１入力用ページを、最初又は最後の入力用ページとし、
前記表示部に表示した前記第２入力用ページに手書き入力がされた状態で、前記第２方向にページ送りする入力が行われると、前記手書き入力がされた状態の第２入力用ページを残留させ、
１又は複数の前記入力用ページから構成される文書が複数存在する場合、
前記制御部は、前記複数の文書の最初の表示順序の文書における最初の入力用ページ又は前記複数の文書の最後の表示順序の文書における最後の入力用ページを表示しているときに、前記ページ送り部を介して前記第１方向にページ送りする入力が行われると、前記表示部に前記第２入力用ページを表示する、
情報処理装置。
【請求項７】
手書き入力が可能な情報処理装置において実行される情報処理プログラムであって、
手書き入力が可能な入力用ページ及び前記入力用ページの総ページ数を表示部に表示する表示ステップと、
前記入力用ページを前後方向にページ送りするページ送り部への入力及び前記入力用ページへの手書き入力を含むユーザーからの入力を受け付ける入力ステップと、
を備え、
前記表示ステップでは、前記表示部に手書き入力がされた状態の最初又は最後の前記入力用ページである第１入力用ページを表示しているときに前記ページ送り部を介して前記前後方向のうち前記入力用ページが存在しない第１方向にページ送りする入力が行われると、前記表示部に新規の前記入力用ページである第２入力用ページを表示し、
前記表示部に表示された前記第２入力用ページに手書き入力がされていない状態で、前記第２入力用ページを除いた前記入力用ページの総ページ数を前記表示部に表示させ、前記ページ送り部を介して前記第１方向とは逆方向の第２方向にページ送りする入力が行われると、前記第２入力用ページを残留させずに、前記第１入力用ページを最初又は最後の入力用ページとし、前記表示部に表示された前記第２入力用ページに手書き入力がされた状態で、前記第２方向にページ送りする入力が行われると、前記手書き入力がされた状態の第２入力用ページを残留させるページ残留可否ステップと、
前記第２入力用ページに手書き入力がされた場合、前記入力用ページの総ページ数を増加させる総ページ数増加ステップと、をさらに備える、
情報処理プログラム。
【請求項８】
手書き入力が可能な情報処理装置において実行される情報処理方法であって、
手書き入力が可能な入力用ページ及び前記入力用ページの総ページ数を表示部に表示する表示ステップと、
前記入力用ページを前後方向にページ送りするページ送り部への入力及び前記入力用ページへの手書き入力を含むユーザーからの入力を受け付ける入力ステップと、
を備え、
前記表示ステップでは、前記表示部に手書き入力がされた状態の最初又は最後の前記入力用ページである第１入力用ページを表示しているときに前記ページ送り部を介して前記前後方向のうち前記入力用ページが存在しない第１方向にページ送りする入力が行われると、前記表示部に新規の前記入力用ページである第２入力用ページを表示し、
前記表示部に表示された前記第２入力用ページに手書き入力がされていない状態で、前記第２入力用ページを除いた前記入力用ページの総ページ数を前記表示部に表示させ、前記ページ送り部を介して前記第１方向とは逆方向の第２方向にページ送りする入力が行われると、前記第２入力用ページを残留させずに、前記第１入力用ページを最初又は最後の入力用ページとし、前記表示部に表示された前記第２入力用ページに手書き入力がされた状態で、前記第２方向にページ送りする入力が行われると、前記手書き入力がされた状態の第２入力用ページを残留させるページ残留可否ステップと、
前記第２入力用ページに手書き入力がされた場合、前記入力用ページの総ページ数を増加させる総ページ数増加ステップと、をさらに備える、
情報処理方法。
【発明の詳細な説明】
【技術分野】
【０００１】
本発明は、情報処理装置、情報処理プログラム及び情報処理方法に関する。
【背景技術】
【０００２】
従来、ワープロアプリや描画アプリでは、現在表示されているページにおいて文字や画像を入力する余白部分が足りなくなる、或いは、新規のページに文字や画像を入力したいという場面が生じることがある。このような場合、主として、１ページ内に収めることができる情報量を超えた情報量を入力することで自動的に新規のページを発生させるか、又は、手動で改ページ入力を行うことによって新規のページを発生させる。
上記の技術の一例として、特許文献１では、次ページ送りの入力を行うと、自動的に新規の白紙ページが追加される情報処理装置が開示されている。
【先行技術文献】
【特許文献】
【０００３】
【特許文献１】特開平６−１１３０６０号公報
【発明の概要】
【発明が解決しようとする課題】
【０００４】
しかしながら、特許文献１に開示の情報処理装置では、次ページ送りの入力を行うことにより常に新規の白紙ページが追加されるので、操作ミスによって不要な白紙ページが発生したり、意図的に追加した白紙ページが不要になったりした場合には、そのまま放置してしまうと、無駄な白紙ページが残留したままになることが懸念される。
【０００５】
そこで、本発明の課題は、無駄なページの残留を抑制できる情報処理装置、情報処理プログラム及び情報処理方法を提供することにある。
【課題を解決するための手段】
【０００６】
第１発明に係る情報処理装置は、手書き入力可能な情報処理装置であって、表示部と、入力部と、制御部とを備える。表示部は、手書き入力が可能な入力用ページ及び入力用ページの総ページ数を表示する。入力部は、入力用ページを前後方向にページ送りするページ送り部を含む。また、入力部は、入力用ページへの手書き入力を含むユーザーからの入力を受け付ける。制御部は、入力部を介して受け付けたユーザーによる入力に基づいて、表示部における表示を制御する。また、制御部は、表示部に手書き入力がされた状態の最初又は最後の入力用ページである第１入力用ページを表示しているときにページ送り部を介して第１方向にページ送りする入力が行われると、表示部に新規の入力用ページである第２入力用ページを表示する。第１方向とは、前後方向のうち新規の入力用ページが存在しない方向である。また、制御部は、表示部に表示した第２入力用ページに手書き入力がされていない状態で、第２入力用ページを除いた入力用ページの総ページ数を表示部に表示させ、ページ送り部を介して第２方向にページ送りする入力が行われると、当該表示部に表示していた第２入力用ページを残留させずに、第１入力用ページを最初又は最後の入力用ページとする。第２方向とは、第１方向とは逆の方向である。さらに、制御部は、表示部に表示した新規の入力用ページに手書き入力がされた状態で、第２方向にページ送りする入力が行われると、手書き入力がされた状態の第２入力用ページを残留させる。
ここで、前後方向とは、例えば、２ページ目の入力用ページが表示部に表示されている場合、１ページ目にページ送りする或いは３ページ目にページ送りする方向である。また、手書き入力がされた状態とは、文字や図形等何らかの描画がされた状態を意味する。
【０００７】
第１発明に係る情報処理装置において、手書き入力がされた状態の最初又は最後の第１入力用ページの表示時に第１方向へのページ送りが行われることによって表示部に新規に表示される第２入力用ページは、手書き入力がされていない状態で第２方向へのページ送りが行われると残留しない入力用ページである。よって、誤操作によって第２入力用ページを発生させたり、意図的に第２入力用ページを発生させたものの不要になったりした場合であっても、ユーザーは、ページ送り部への入力を行うだけで、簡易に、新規の第２入力用ページを削除できる。従って、無駄な白紙の入力用ページの残留を抑制できる。
【０００９】
第２発明に係る情報処理装置は、第１発明に係る情報処理装置であって、制御部は、第２入力用ページに手書き入力がされた場合に、表示部に表示された、入力用ページの総ページ数を増加させる。
第２発明に係る情報処理装置では、表示部に表示された、入力用ページの総ページ数を増加させることによって、ユーザーが一目で総ページ数を把握できる。
【００１０】
第３発明に係る情報処理装置は、第２発明に係る情報処理装置であって、制御部は、表示部に、手書き入力がされていない状態の第２入力用ページを表示しているときに、ページ送り部を介して第１方向にページ送りする入力が行われても、表示部に更なる新規の入力用ページを表示しない。
ここで、例えば、本発明のような、ページ送り部への入力を行うことによって第２入力用ページが発生する情報処理装置においては、誤操作によって無駄な入力用ページが複数発生することが考えられる。誤操作によって無駄な入力用ページが複数発生すると、ユーザーは、一々、不要な入力用ページを削除する必要があり、利便性の低下が懸念される。
そこで、第３発明に係る情報処理装置では、第２入力用ページに手書き入力がされていない状態で第１方向にページ送りするページ送り部への入力が行われたとしても、更なる新規の入力用ページを表示部に表示しない。これにより、誤操作によって無駄な入力用ページが発生することを回避している。また、予め無駄な入力用ページが複数発生することを回避しているので、従来のように、ユーザーは、一々、不要な入力用ページを削除する必要がなくなり、利便性が向上する。
【００１１】
第４発明に係る情報処理装置は、第２発明又は第３発明に係る情報処理装置であって、制御部は、表示部に第２入力用ページを表示する制御として、第１制御、第２制御及び第３制御のいずれかを行う。第１制御は、表示部に最初の入力用ページを表示した状態にある場合にのみ、第１方向にページ送りする入力が行われると、第２入力用ページを表示部に表示する制御である。第２制御は、表示部に最後の入力用ページを表示した状態にある場合にのみ、第１方向にページ送りする入力が行われると、第２入力用ページを表示部に表示する制御である。第３制御は、表示部に最初の入力用ページを表示した状態及び最後の入力用ページを表示した状態のいずれもの場合において、第１方向にページ送りする入力が行われると、第２入力用ページを表示部に表示する制御である。
ここで、例えば、制御部が第１制御、第２制御及び第３制御のいずれを行うかについては、予めユーザーが設定してもよいし、制御部自身が学習等によって適宜決定してもよい。
第４発明に係る情報処理装置では、新規の入力用ページへの表示切替を、ユーザーの希望や利用状況に応じて行うことが可能である。よって、ユーザーの利便性が向上する。
【００１２】
第５発明に係る情報処理装置は、第２発明〜第４発明のいずれかに係る情報処理装置であって、１又は複数の入力用ページから構成される文書が複数存在する場合、制御部は、複数の文書の最初の表示順序の文書における最初の入力用ページ又は複数の文書の最後の表示順序の文書における最後の入力用ページを表示しているときに、ページ送り部を介して第１方向にページ送りする入力が行われると、表示部に第２入力用ページを表示する。
ここで、例えば、情報処理装置が、複数の文書を続けて（例えば、表示順序順に）表示部に表示する構成を有している場合、最初の表示順序の文書における最初の入力用ページを複数の文書における最初の入力用ページとし、最後の表示順序の文書における最後の入力用ページを複数の文書における最後の入力用ページとする構成にすることができる。このように、複数の文書を続けて表示部に表示する構成を有する第５発明に係る情報処理装置であっても、簡易に、第２入力用ページを表示部に表示できる。
第６発明に係る情報処理装置は、手書き入力可能な情報処理装置であって、表示部と、入力部と、制御部とを備える。表示部は、手書き入力が可能な入力用ページを表示する。入力部は、入力用ページを前後方向にページ送りするページ送り部を含む。また、入力部は、入力用ページへの手書き入力を含むユーザーからの入力を受け付ける。制御部は、入力部を介して受け付けたユーザーによる入力に基づいて、表示部における表示を制御する。また、制御部は、表示部に手書き入力がされた状態の最初又は最後の第１入力用ページを表示しているときにページ送り部を介して第１方向にページ送りする入力が行われると、表示部に新規の第２入力用ページを表示する。第１方向とは、前後方向のうち新規の入力用ページが存在しない方向である。また、制御部は、表示部に表示した第２入力用ページに手書き入力がされていない状態で、ページ送り部を介して第２方向にページ送りする入力が行われると、当該表示部に表示していた第２入力用ページを残留させずに、第１入力用ページを最初又は最後の入力用ページとする。第２方向とは、第１方向とは逆の方向である。さらに、制御部は、表示部に表示した新規の入力用ページに手書き入力がされた状態で、第２方向にページ送りする入力が行われると、手書き入力がされた状態の第２入力用ページを残留させる。
第６発明に係る情報処理装置において、手書き入力がされた状態の最初又は最後の第１ 入力用ページの表示時に第１方向へのページ送りが行われることによって表示部に新規に表示される第２入力用ページは、手書き入力がされていない状態で第２方向へのページ送りが行われると残留しない入力用ページである。よって、誤操作によって第２入力用ページを発生させたり、意図的に第２入力用ページを発生させたものの不要になったりした場合であっても、ユーザーは、ページ送り部への入力を行うだけで、簡易に、新規の第２入力用ページを削除できる。従って、無駄な白紙の入力用ページの残留を抑制できる。
また、第６発明に係る情報処理装置は、１又は複数の入力用ページから構成される文書が複数存在する場合、制御部は、複数の文書の最初の表示順序の文書における最初の入力用ページ又は複数の文書の最後の表示順序の文書における最後の入力用ページを表示しているときに、ページ送り部を介して第１方向にページ送りする入力が行われると、表示部に第２入力用ページを表示する。
ここで、例えば、情報処理装置が、複数の文書を続けて（例えば、表示順序順に）表示部に表示する構成を有している場合、最初の表示順序の文書における最初の入力用ページを複数の文書における最初の入力用ページとし、最後の表示順序の文書における最後の入力用ページを複数の文書における最後の入力用ページとする構成にすることができる。このように、複数の文書を続けて表示部に表示する構成を有する第６発明に係る情報処理装置であっても、簡易に、第２入力用ページを表示部に表示できる。
【００１３】
第７発明に係る情報処理プログラムは、手書き入力が可能な情報処理装置において実行される情報処理プログラムであって、表示ステップと、入力ステップとを備える。表示ステップでは、手書き入力が可能な入力用ページ及び入力用ページの総ページ数を表示部に表示する。入力ステップでは、ユーザーからの入力を受け付ける。ユーザーからの入力とは、ページ送り部への入力及び入力用ページへの手書き入力を含む。ページ送り部は、入力用ページを前後方向にページ送りする。また、表示ステップでは、表示部に手書き入力がされた状態の最初又は最後の入力用ページである第１入力用ページを表示しているときに、ページ送り部を介して第１方向にページ送りする入力が行われると、表示部に新規の入力用ページである第２入力用ページを表示する。第１方向とは、前後方向のうち入力用ページが存在しない方向である。また、本プログラムは、残留可否ステップをさらに備える。残留可否ステップでは、表示部に表示された第２入力用ページに手書き入力がされていない状態で、第２入力用ページを除いた入力用ページの総ページ数を表示部に表示させ、ページ送り部を介して第２方向にページ送りする入力が行われると、第２入力用ページを残留させずに、第１入力用ページを最初又は最後の入力用ページとし、表示部に表示された第２入力用ページに手書き入力がされた状態で、第２方向にページ送りする入力が行われると、手書き入力がされた状態の第２入力用ページを残留させる。第２方向は、第１方向とは逆の方向である。また、本プログラムは、総ページ数増加ステップをさらに備える。総ページ数増加ステップでは、第２入力用ページに手書き入力がされた場合、入力用ページの総ページ数を増加させる。
第７発明に係る情報処理プログラムを情報処理装置で実行することによって、誤操作によって第２入力用ページを発生させたり、意図的に第２入力用ページを発生させたものの不要になったりした場合であっても、ユーザーは、ページ送り部への入力を行うだけで、簡易に、新規の第２入力用ページを削除できる。従って、無駄な白紙の入力用ページの残留を抑制できる。
【００１４】
第８発明に係る情報処理方法は、手書き入力が可能な情報処理装置において実行される情報処理方法であって、表示ステップと、入力ステップとを備える。表示ステップは、手書き入力が可能な入力用ページ及び入力用ページの総ページ数を表示部に表示する。入力ステップでは、ユーザーからの入力を受け付ける。ユーザーからの入力とは、ページ送り部への入力及び入力用ページへの手書き入力を含む。ページ送り部は、入力用ページを前後方向にページ送りする機能を有する。そして、表示ステップでは、表示部に最初又は最後の入力用ページである第１入力用ページを表示しているときに、ページ送り部を介して第１方向にページ送りする入力が行われると、表示部に新規の入力用ページである第２入力用ページを表示する。第１方向とは、前後方向のうち新規の入力用ページが存在しない方向である。また、本方法は、残留可否ステップをさらに備える。残留可否ステップでは、表示部に表示された第２入力用ページに手書き入力がされていない状態で、第２入力用ページを除いた入力用ページの総ページ数を表示部に表示させ、ページ送り部を介して第２方向にページ送りする入力が行われると、第２入力用ページを残留させずに、第１入力用ページを最初又は最後の入力用ページとし、表示部に表示された第２入力用ページに手書き入力がされた状態で、第２方向にページ送りする入力が行われると、手書き入力がされた状態の第２入力用ページを残留させる。第２方向は、第１方向とは逆の方向である。また、本プログラムは、総ページ数増加ステップをさらに備える。総ページ数増加ステップでは、第２入力用ページに手書き入力がされた場合、入力用ページの総ページ数を増加させる。
第８発明に係る情報処理方法を情報処理装置で実行することによって、誤操作によって第２入力用ページを発生させたり、意図的に第２入力用ページを発生させたものの不要になったりした場合であっても、ユーザーは、ページ送り部への入力を行うだけで、簡易に、新規の第２入力用ページを削除できる。従って、無駄な白紙の入力用ページの残留を抑制できる。
【発明の効果】
【００１５】
本発明では、無駄なページの残留を抑制できる。
【図面の簡単な説明】
【００１６】
【図１】第１実施形態に係る情報処理装置の概略前面図。
【図２】第１実施形態に係る情報処理装置のハードウェア構成図。
【図３】記憶装置の機能構成図。
【図４】制御装置の機能構成図。
【図５】入力用ページの表示制御を示すフローチャート。
【図６】手書き入力モードにおいて入力用ページに手書き入力がされた状態のディスプレイを示すための情報処理装置の概略前面図。
【図７】入力用ページへの描画制御を示すフローチャート。
【図８】ページ移行制御を示すフローチャート。
【図９】次ページ送り制御を示すフローチャート。
【図１０】次ページ送り制御におけるページ数表示制御を示すための情報処理装置の概略前面図。
【図１１】前ページ送り制御を示すフローチャート。
【図１２】前ページ送り制御におけるページ数表示制御を示すための情報処理装置の概略前面図。
【図１３】文書保存制御を示すフローチャート。
【図１４】独立文書保存制御を示すフローチャート。
【図１５】既存文書付加制御を示すフローチャート。
【図１６】付加対象文書決定制御を示すフローチャート。
【図１７】変形例１Ａに係る情報処理装置の記憶装置の機能構成図。
【図１８】変形例１Ａに係る情報処理装置の概略前面図。
【図１９】変形例１Ｂに係る情報処理装置の概略前面図。
【図２０】最初切替入力用ページ及び最後切替入力用ページを削除するか否かを決定するための選択画面をディスプレイに表示している状態の情報処理装置の概略前面図。
【図２１】第２実施形態に係る情報処理装置の概略前面図。
【図２２】ディスプレイにおける表示順序を説明するための入力用ページの模式図。
【図２３】第２実施形態において、付加対象文書を決定するための設定画面がディスプレイに表示された状態の情報処理装置の概略前面図。
【発明を実施するための形態】
【００１７】
以下、図面を参照しながら、本発明に係る情報処理装置について説明する。
【００１８】
＜第１実施形態＞
（１）情報処理装置
図１は、本発明の第１実施形態に係る情報処理装置１０の概略前面図である。図２は、情報処理装置１０のハードウェア構成図である。尚、以下の説明において、上、下、左及び右という方向を示す言葉を用いるが、これらは、図１に示す状態の情報処理装置１０を紙面手前側から視た方向を意味する。また、図１に示す状態の情報処理装置１０を画面（紙面）手前側から視た部分を前面と言い、画面（紙面）奥側から視た部分を背面と言う。
情報処理装置１０は、携帯可能であり、ユーザーがタッチペン１８（図１及び図４を参照）や自身の指を使って手書き入力が可能な装置である。情報処理装置１０は、図１及び図２に示すように、主として、筐体１１と、ネットワークインターフェース１２と、外部メモリインターフェース１３と、入出力装置１４と、電源ユニット１５と、記憶装置１６と、制御装置１７と、を有している。ネットワークインターフェース１２、外部メモリインターフェース１３、入出力装置１４、電源ユニット１５、記憶装置１６及び制御装置１７は、筐体１１の内部に収容されている。
【００１９】
（１−１）筐体
筐体１１は、情報処理装置１０の本体を構成する部材であり、前面視において上下に細長く、厚みが薄い板状形状を有している。
【００２０】
（１−２）ネットワークインターフェース
ネットワークインターフェース１２は、情報処理装置１０をネットワーク（図示せず）に接続するための通信部として機能する。ネットワークは、ＬＡＮやインターネット等の通信回線を介したネットワークである。尚、通信回線は、無線、有線を問わない。ネットワークインターフェース１２を介して、情報処理装置１０は、外部装置（図示せず）とデータの送受信を行う。外部装置は、データの送受信が可能な装置であればよく、例えば、コンピュータ、携帯電話、画像形成装置等が挙げられる。
【００２１】
（１−３）外部メモリインターフェース
外部メモリインターフェース１３は、情報処理装置１０にＵＳＢ（Universal Serial Bus）メモリやＳＤメモリーカード（Secure Digital memory card）などの外部メモリ（図示せず）を接続するための接続口や接続端子及び接続された外部メモリとデータを授受するためのインターフェース回路で構成される。外部メモリインターフェース１３は、１つでも複数でもよい。
【００２２】
（１−４）入出力装置
入出力装置１４は、主として、ユーザーによる入力を受け付ける入力部としてのタッチパネル１４ａ及びキースイッチ１４ｂと、各種情報を表示する表示部としてのディスプレイ１４ｃとから構成される。
タッチパネル１４ａは、タッチペン１８やユーザーの指による接触によってユーザーからの入力を受け付ける。入力には、各種動作を行わせるための指示部（例えば、後述するボタン２１〜２８）等への押圧による入力だけでなく、文字や図形等を描画する手書き入力が含まれる。キースイッチ１４ｂは、ユーザーからの情報処理装置１０に対する電源のＯＮ／ＯＦＦや情報処理装置１０に対するシステム設定の指示入力を受け付ける機能を有する。
尚、キースイッチ１４ｂを、情報処理装置１０に対する電源のＯＮ／ＯＦＦやシステム設定に関する入力受付機能だけでなく、タッチパネル１４ａで行われる入力受付機能を有するように構成してもよい。すなわち、ユーザーからの各種の入力を受け付けることができれば、入出力装置１４の入力部は、タッチパネル１４ａで構成されていてもキースイッチ１４ｂで構成されていてもよい。
ディスプレイ１４ｃは、各種情報を表示する表示面を有しており、その表示面が筐体１１の前面部分に位置するように配置されている。ディスプレイ１４ｃは、タッチパネル１４ａの背面側にタッチパネル１４ａに対して重ねて配置されている。ディスプレイ１４ｃは、電気泳動方式を利用して各種情報を表示する。尚、ディスプレイ１４ｃは、電気泳動方式を利用したものに限られず、液晶ディスプレイ、プラズマディスプレイ、有機ＥＬディスプレイ等であってもよい。
ディスプレイ１４ｃは、ユーザーからのタッチパネル１４ａを介した手書き入力を受け付ける入力用ページやユーザーからのタッチパネル１４ａを介した指示入力を受け付けるためのボタンを表示する。ユーザーがディスプレイ１４ｃに表示されるボタンに接触すると、そのボタンに対応した制御処理が行われる。ディスプレイ１４ｃに表示される入力用ページやボタンについては、後に説明する。尚、ディスプレイ１４ｃは、ボタンに代えてアイコンを表示してもよい。
【００２３】
（１−５）電源ユニット
電源ユニット１５は、筐体１１の内部における背面側部分に配置されており、情報処理装置１０の各種の機能を動作させるために必要な電力を供給するユニットである。電源ユニット１５は、本実施形態では、アルカリ蓄電池、リチウムイオン電池等の二次電池から構成されるが、これに限られるものではなく、乾電池等の一次電池、太陽電池、燃料電池等であってもよい。
【００２４】
（１−６）記憶装置
図３は、記憶装置１６の機能構成図である。
記憶装置１６は、主として、ＲＡＭ、ＲＯＭ及びハードディスクから構成されており、各種プログラムやデータを記憶する。具体的には、図３に示すように、記憶装置１６は、受信情報記憶領域１６ａと、入力情報記憶領域１６ｂと、動作情報記憶領域１６ｃと、を有している。
【００２５】
（１−６−１）受信情報記憶領域
受信情報記憶領域１６ａには、外部装置から受信した受信情報が格納される。受信情報には、外部装置で作成された文書データ、画像データ、動画データ等が含まれる。
【００２６】
（１−６−２）入力情報記憶領域
入力情報記憶領域１６ｂには、入出力装置１４のタッチパネル１４ａやキースイッチ１４ｂを介してユーザーから入力される入力情報等が格納される。すなわち、情報処理装置１０に対する指示入力の情報や、入力用ページに手書き入力された情報が格納される。
【００２７】
（１−６−３）動作情報記憶領域
動作情報記憶領域１６ｃには、電力残量等の情報処理装置１０の動作情報が格納される。動作情報は、ディスプレイ１４ｃに表示される。
【００２８】
（１−７）制御装置
図４は、制御装置１７の機能構成図である。
制御装置１７は、主として、ＣＰＵから構成されており、記憶装置１６に記憶されている各種プログラムを実行することにより、システム制御部１７ａ、入力情報取得部１７ｂ、送受信部１７ｃ、電力残量取得部１７ｄ、表示制御部１７ｅ等として機能する（図４を参照）。
【００２９】
（１−７−１）システム制御部
システム制御部１７ａは、ユーザーからの指示等に応じて各種機能部（入力情報取得部１７ｂ、送受信部１７ｃ、電力残量取得部１７ｄ、表示制御部１７ｅ等）に対して指示を行う。ユーザーからの指示は、ディスプレイ１４ｃに表示されるボタンに対してユーザーがタッチペン１８や指を使って接触すること等によって行われる。
【００３０】
（１−７−２）入力情報取得部
入力情報取得部１７ｂは、入出力装置１４のタッチパネル１４ａやキースイッチ１４ｂを介してユーザーから入力される入力情報を取得すると共に、ユーザーから入力があった旨をシステム制御部１７ａに通知する。また、入力情報取得部１７ｂは、取得した入力情報を、上述の入力情報記憶領域１６ｂに格納する。
【００３１】
（１−７−３）送受信部
送受信部１７ｃは、システム制御部１７ａからの指示に基づいて、外部装置との間で各種情報の送受信を行ったり、外部装置から受信した受信情報を、上述の受信情報記憶領域１６ａに格納したりする。
【００３２】
（１−７−４）電力残量取得部
電力残量取得部１７ｄは、所定の時間間隔で、電源ユニット１５の電力残量を取得する。そして、取得した電力残量を動作情報記憶領域１６ｃに記憶すると共に、システム制御部１７ａに通知する。システム制御部１７ａは、電力残量取得部１７ｄから電源ユニット１５の電力残量の情報を取得すると、表示制御部１７ｅに対して、取得した電力残量の情報をディスプレイ１４ｃに表示するように指示する（図示せず）。尚、電源ユニット１５の電力残量のユーザーへの報知は、表示によるものに限られず、音声によるものであってもよい。
【００３３】
（１−７−５）表示制御部
表示制御部１７ｅは、システム制御部１７ａからの指示に基づいて、各種情報をディスプレイ１４ｃに表示させる制御を行う。
【００３４】
（２）情報処理装置の制御
情報処理装置１０は、手書き入力モードを有している。手書き入力モードでは、外部装置から受信した文書データや画像データ等、また、情報処理装置１０で作成した或いは外部メモリ（ＳＤカード、ＵＳＢメモリ等）から取り込んだ文書データや画像データ等に含まれる所定のページを入力用ページとしてディスプレイ１４ｃに表示して、或いは、新規の白紙の入力用ページをディスプレイ１４ｃに表示して、ユーザーからの手書き入力を受け付ける。ここで、入力用ページとは、ディスプレイ１４ｃに表示され、タッチパネル１４ａを介して文字や図形等の手書き入力が可能なページである。
以下、手書き入力モードにおける各種処理について、図５〜図１６を用いて、説明する。尚、制御装置１７が、記憶装置１６に記憶された各種プログラムを実行することによって、以下に説明する制御を含めた情報処理装置１０の制御全般を実行する。
【００３５】
＜入力用ページの表示制御＞
図５は、入力用ページの表示制御を示すフローチャートである。
以下、図５を参照して、手書き入力モードにおける入力用ページの表示制御について説明する。
【００３６】
まず、ステップＳ１では、手書き入力モードの設定指示があったか否かを判定する。手書き入力モードの設定指示は、手書き入力モード用のボタン（図示せず）をユーザーが押すことによって行われる。手書き入力モードの設定指示があったと判定する場合、ステップＳ２へ移行し、他方、手書き入力モードの設定指示がないと判定する場合、手書き入力モードの設定指示があるまで待機する。
【００３７】
ステップＳ２では、ディスプレイ１４ｃに表示する入力用ページとして、記憶装置１６に記憶されている文書等を使用するか、外部メモリから取り込んだ文書等を使用するか、或いは、新規の白紙の入力用ページを表示するか、を選択させる選択画面をディスプレイ１４ｃに表示する。そして、ステップＳ３において、選択画面において記憶装置１６に記憶されている文書等を入力用ページとして使用する選択がされたと判定する場合は（ステップＳ３のＹＥＳ）、記憶装置１６に記憶されているファイルリストをディスプレイ１４ｃに選択可能に表示する（ステップＳ４）。そして、ステップＳ５において、所定のファイルが選択されたと判定する場合は（ステップＳ５のＹＥＳ）、選択されたファイル内のデータの最初のページを入力用ページとしてディスプレイ１４ｃに表示する（ステップＳ６）。尚、ここでは、選択されたファイル内のデータの最初のページを入力用ページとしてディスプレイ１４ｃに表示しているが、ディスプレイ１４ｃに表示するページは、これに限られるものではなく、予め、ユーザーによって設定されていてもよいし、この段階でユーザーに設定させる設定画面を表示することによって設定させてもよい。所定のファイルが選択されていないと判定する場合は（ステップＳ５のＮＯ）、ファイルの選択がされるまで待機する。
【００３８】
ステップＳ３において、記憶装置１６に記憶されている文書データ等を入力用ページとして使用する選択がされていないと判定する場合は（ステップＳ３のＮＯ）、ステップＳ７において、外部メモリから取り込んだ文書等を入力用ページとして使用する選択がされたか否かを判定する。外部メモリから取り込んだ文書データ等を入力用ページとして使用する選択がされたと判定する場合は（ステップＳ７のＹＥＳ）、外部メモリが外部メモリインターフェース１３に接続されているか否かを判定し（ステップＳ８）、接続されていると判定する場合は（ステップＳ８のＹＥＳ）、外部メモリに記憶されているファイルリストを選択可能にディスプレイ１４ｃに表示する（ステップＳ９）。接続されていないと判定する場合は（ステップＳ８のＮＯ）、外部メモリが接続されるまで待機する。ステップＳ１０において、所定のファイルが選択されたと判定する場合は（ステップＳ１０のＹＥＳ）、選択されたファイル内のデータの最初のページを入力用ページとしてディスプレイ１４ｃに表示する（ステップＳ１１）。尚、ステップＳ１１においてもステップＳ６と同様に構成を変更することが可能である。所定のファイルが選択されていないと判定する場合は（ステップＳ１０のＮＯ）、ファイルが選択されるまで待機する。
【００３９】
ステップＳ７において、外部メモリから取り込んだ文書等を入力用ページとして使用する選択がされていないと判定する場合は（ステップＳ７のＮＯ）、白紙の入力用ページをディスプレイ１４ｃに表示する（ステップＳ１２）。
【００４０】
＜入力用ページへの描画制御＞
図６は、手書き入力モードにおいて入力用ページに手書き入力がされた状態のディスプレイ１４ｃを示すための、情報処理装置１０の概略前面図である。
まず、手書き入力モードにおいて、ディスプレイ１４ｃに表示される情報について説明する。手書き入力モードでは、図１及び図６に示すように、ディスプレイ１４ｃに、入力用ページに対する各種の操作を実行するための各種のボタン２１〜２８が表示される。ボタン２１〜２８としては、「鉛筆」ボタン２１、「ブラシ」ボタン２２、「エアブラシ」ボタン２３、「消しゴム」ボタン２４、「塗りつぶし」ボタン２５、「画面消去」ボタン２６、「全データ消去」ボタン２７及びページ送りボタン２８がある。尚、これらのボタン２１〜２８の表示は、手書き入力モードのみに限らず、常に表示されるように構成されていてもよい。また、ボタン２１〜２８は、ディスプレイ１４ｃに表示されることによってユーザーからの入力を受け付ける構成に限られず、入力を受け付けることができれば、ディスプレイ１４ｃに表示されていなくてもよい。例えば、筐体１１においてハードウェアボタンとして構成されて常に入力を受け付ける構成を有していてもよい。
【００４１】
「鉛筆」ボタン２１、「ブラシ」ボタン２２及び「エアブラシ」ボタン２３は、入力用ページに文字や図形等を描画するためのボタンである。「消しゴム」ボタン２４は、入力用ページに描画されている情報の一部又は全部を消去するためのボタンである。「塗りつぶし」ボタン２５は、入力用ページの全範囲又は選択範囲を描画色で塗りつぶすためのボタンである。尚、全範囲を塗りつぶすか選択範囲を塗りつぶすかは、予めユーザーが設定してもよいし、「塗りつぶし」ボタン２５への入力が行われたときにその都度ユーザーが設定できるようにしてもよい。「画面消去」ボタン２６は、現在ディスプレイ１４ｃに表示されている入力用ページに描画されている描画情報を一括で消去するためのボタンである。「全データ消去」ボタン２７は、現在ディスプレイ１４ｃに表示されている入力用ページを含む文書を削除するためのボタンである。ここで、文書とは、１又は複数の入力用ページから構成されて、１のファイルとして記憶装置１６に保存されるものである。
ページ送りボタン２８は、入力用ページを前後方向にページ送りするページ送り部としてのボタンである。ここで、前後方向とは、現在表示されている入力用ページが２ページ目の場合、前の１ページ目又は次の３ページ目にページ送りする方向であり、より具体的には、１ページ目にページ送りするのが前方向であり、３ページ目にページ送りするのが後方向である。ページ送りボタン２８は、前方向にページの切り替えを行う前ページ送りボタン２８ａと、後方向にページの切り替えを行う次ページ送りボタン２８ｂと、から構成される。
【００４２】
さらに、手書き入力モードでは、ディスプレイ１４ｃに、入力用ページの総ページ数や、現在表示している入力用ページの、当該入力用ページを含む文書の総ページ数に対するページ位置（番号）が表示される。具体的には、図１及び図６に示すように、ディスプレイ１４ｃの下方部分（図中Ｅ１）に、「現在表示している入力用ページの、当該入力用ページを含む文書の総ページ数に対するページ位置（番号）／総ページ数」の形で表示される。
【００４３】
次に、ディスプレイ１４ｃに上記のボタン等が表示された状態で、ユーザーが各種のボタンを選択して入力用ページに対して手書き入力を行った場合の、情報処理装置１０の描画制御について、図７を用いて説明する。図７は、入力用ページへの描画制御を示すフローチャートである。
【００４４】
まず、ステップＳ２１において、入力用ページに入力がされたか否かを判定する。ここでは、入力情報取得部１７ｂが入力検知センサー１９（図４を参照）から入力を検知したことを示す通知を受けたか否かによって、入力がされたか否かを判定している。入力情報取得部１７ｂは、入力位置検知センサー１９から、入力を検知したことを示す通知と共に、入力位置の情報も受信する。
【００４５】
システム制御部１７ａが入力用ページに入力がされたと判定する場合（ステップＳ２１のＹＥＳ）、表示制御部１７ｅに対して、入力位置に配置されたボタンに対応した表示制御を実行させる（ステップＳ２２）。尚、システム制御部１７ａは、入力情報取得部１７ｂから、入力を検知したことを示す通知と、入力位置の情報とを受信することによって、入力用ページに入力がされたと判定する。
【００４６】
＜ページ移行制御＞
次に、図８を参照して、入力用ページのページ移行制御について説明する。図８は、ページ移行制御を示すフローチャートである。ページ移行制御は、ページ送りボタン２８への入力が行われた場合に行われる制御である。ページ移行制御は、システム制御部１７ａの指示に基づいて、表示制御部１７ｅが行う。
【００４７】
ステップＳ３１では、次ページ送りボタン２８ｂへの入力が行われたか否かを判定する。次ページ送りボタン２８ｂへの入力が行われたと判定する場合は（ステップＳ３１のＹＥＳ）、次ページ送り制御を行う（ステップＳ３２）。他方、次ページ送りボタン２８ｂへの入力が行われていないと判定する場合は（ステップＳ３１のＮＯ）、前ページ送りボタン２８ａへの入力が行われたと判定し、前ページ送り制御を行う（ステップＳ３３）。
【００４８】
＜次ページ送り制御＞ 
図９を参照して、図８のステップＳ３２の次ページ送り制御について説明する。図９は、次ページ送り制御を示すフローチャートである。
【００４９】
ステップＳ４１では、現在ディスプレイ１４ｃに表示している入力用ページが最後の入力用ページであるか否かを判定する。すなわち、例えば、図１及び図６に示すように、総ページ数が３ページの文書においては、現在ディスプレイ１４ｃに表示されている入力用ページが３ページ目であるか否かを判定する。尚、入力用ページの総ページ数が１ページの場合は、その入力用ページが最初且つ最後の入力用ページとなる。最後の入力用ページであると判定する場合は（ステップＳ４１のＹＥＳ）、新規の白紙の入力用ページをディスプレイ１４ｃに表示し（ステップＳ４２）、他方、最後の入力用ページでないと判定する場合は（ステップＳ４１のＮＯ）、ステップＳ４３へ移行する。本実施形態では、手書き入力がされた状態の最後の入力用ページ（第１入力用ページに相当）の表示中に次ページ送りボタン２８ｂへの入力が行われることによって新規にディスプレイ１４ｃに表示される白紙の入力用ページを、最後切替入力用ページ（第２入力用ページに相当）という。
【００５０】
ここで、従来、最後の入力用ページの表示中に次ページ送りボタンへの入力が行われて発生する新規の白紙の入力用ページは、最後のページとして扱われる。そして、従来では、例えば、最後の入力用ページである３ページ目を表示中に次ページ送りボタンへの入力が行われると、次のページである４ページ目の入力用ページがディスプレイに表示されて、さらにページ数が表示される場合には、現在のページの総ページ数に対するページ位置（番号）が「４」、総ページ数が「４」と表示される。
一方、本実施形態では、最後切替入力用ページは、新規の白紙の入力用ページとしてディスプレイ１４ｃに表示されるが、手書き入力がされるまでの白紙の状態においては、１ページとしてカウントされず、その文書における最後のページとして扱われない。つまり、最後切替入力用ページは、白紙の状態では、１ページとしてみなされないので、ディスプレイ１４ｃにおいても、現在のページ位置（番号）は表示されず、総ページ数も変更されない（増加されない）。すなわち、この場合、総ページ数としては、最後切替入力用ページを除いた入力用ページの総ページ数が表示される。
【００５１】
このページ数の表示制御については、図１０を用いて説明する。図１０（ａ）では、総ページ数が３である文書の最後の入力用ページ（３ページ目の入力用ページ）であって手書き入力がされた状態の入力用ページがディスプレイ１４ｃに表示されている。
この図１０（ａ）に示す状態において、次ページ送りボタン２８ｂへの入力が行われると、図１０（ｂ）に示すように、最後切替入力用ページがディスプレイ１４ｃに表示される。このとき、最後切替入力用ページは、手書き入力が行われておらず白紙の状態である。この状態においては、最後切替入力用ページは１ページとしてカウントされないため、総ページ数に対するページ位置（番号）はディスプレイ１４ｃに表示されず、この最後切替入力用ページを除いた入力用ページの総ページ数のみがディスプレイ１４ｃに表示される。本実施形態では、最後切替入力用ページの表示時には、最後切替入力用ページが表示されていることを示す記号「Ｐ」と、「最後切替入力用ページを除いた入力用ページの総ページ数」とを組み合わせたものをディスプレイ１４ｃの下方部分（図中Ｅ１）に表示している。しかし、最後切替入力用ページが表示されていることと、最後切替入力用ページを除いた入力用ページの総ページ数とをユーザーに対して報知できるものであれば、これに限られるものではない。そして、図１０（ｂ）の状態で、最後切替入力用ページに手書き入力がされると、最後切替入力用ページは１ページとカウントされて最後の入力用ページとなる（図１０（ｃ）を参照）。このとき、ディスプレイ１４ｃの下方部分（図中Ｅ１）には、図１０（ｃ）に示すように、総ページ数に対する現在のページ位置（番号）と、手書き入力がされて最後の入力用ページとなった４ページ目の入力用ページを含んだ入力用ページの総ページ数とが表示されることになる。尚、最後切替入力用ページに手書き入力がされて最後の入力用ページとなった後に、手書き入力がされた情報が全て削除されると、再度、その入力用ページは、最後切替入力用ページとなる。
【００５２】
図９に戻って、ステップＳ４３では、現在ディスプレイ１４ｃに表示している入力用ページが最後切替入力用ページであるか否かを判定する。最後切替入力用ページであると判定する場合は（ステップＳ４３のＹＥＳ）、ステップＳ４４へ移行し、他方、最後切替入力用ページでないと判定する場合は（ステップＳ４３のＮＯ）、ステップＳ４５へ移行する。
【００５３】
ステップＳ４４では、更なる新規の入力用ページをディスプレイ１４ｃに表示することを禁止する。ここでは、既に最後切替入力用ページをディスプレイ１４ｃに表示しているときには、さらに次ページ送りボタン２８ｂへの入力が行われたとしても、更なる新規の白紙の入力用ページをディスプレイ１４ｃに表示させないようにしている。これにより、無駄な入力用ページをディスプレイ１４ｃに表示することを回避でき、さらに、誤操作によって無駄な入力用ページが複数発生することを回避できる。
【００５４】
ステップＳ４５では、現在ディスプレイ１４ｃに表示している入力用ページが最初切替入力用ページであるか否かを判定する。最初切替入力用ページであると判定する場合は（ステップＳ４５のＹＥＳ）、ステップＳ４６へ移行し、他方、最初切替入力用ページでないと判定する場合は（ステップＳ４５のＮＯ）、現在表示している入力用ページの次の入力用ページを、ディスプレイ１４ｃに表示する（ステップＳ４８）。ここで、最初切替入力用ページ（第２入力用ページに相当）とは、手書き入力がされた状態の最初の入力用ページ（第１入力用ページに相当）の表示中に前ページ送りボタン２８ａへの入力が行われることによって新規にディスプレイ１４ｃに表示される白紙の入力用ページである。本実施形態では、最初切替入力用ページも、最後切替入力用ページと同様に、手書き入力がされるまでの白紙の状態においては、１ページとしてカウントされず、その文書における最初のページとして扱われない。つまり、最初切替入力用ページは、白紙の状態では、１ページとしてみなされないので、ディスプレイ１４ｃにおいても、現在のページ位置（番号）は表示されず、総ページ数も変更されない（増加されない）。
【００５５】
ステップＳ４６では、最初切替入力用ページを削除する。そして、ステップＳ４７において、最初の入力用ページ（最初切替入力用ページの次の入力用ページ）をディスプレイ１４ｃに表示する。
【００５６】
＜前ページ送り制御＞
以下、図１１を参照して、図８のステップＳ３３の前ページ送り制御について説明する。図１１は、前ページ送り制御を示すフローチャートである。
【００５７】
ステップＳ５１では、現在ディスプレイ１４ｃに表示している入力用ページが最初の入力用ページであるか否かを判定する。すなわち、例えば、総ページ数が３ページの文書において、現在ディスプレイ１４ｃに表示している入力用ページが１ページ目であるか否かを判定する。最初の入力用ページであると判定する場合は（ステップＳ５１のＹＥＳ）、ステップＳ５２へ移行し、他方、最初の入力用ページでないと判定する場合は（ステップＳ５１のＮＯ）、ステップＳ５３へ移行する。
【００５８】
ステップＳ５２では、最初切替入力用ページをディスプレイ１４ｃに表示する。
ステップＳ５３では、現在ディスプレイ１４ｃに表示している入力用ページが最初切替入力用ページであるか否かを判定する。最初切替入力用ページであると判定する場合は（ステップＳ５３のＹＥＳ）、ステップＳ５４へ移行し、他方、最初切替入力用ページでない場合は（ステップＳ５３のＮＯ）、ステップＳ５５へ移行する。
【００５９】
ステップＳ５４では、更なる新規の入力用ページをディスプレイ１４ｃに表示することを禁止する。ここでは、既に最初切替入力用ページをディスプレイ１４ｃに表示しているときには、さらに前ページ送りボタン２８ａへの入力が行われたとしても、更なる新規の白紙の入力用ページをディスプレイ１４ｃに表示させないようにしている。これにより、無駄な入力用ページをディスプレイ１４ｃに表示することを回避でき、さらに、誤操作によって無駄な入力用ページが複数発生することを回避できる。
【００６０】
ステップＳ５５では、現在ディスプレイ１４ｃに表示している入力用ページが最後切替入力用ページであるか否かを判定する。最後切替入力用ページであると判定する場合は（ステップＳ５５のＹＥＳ）、ステップＳ５６へ移行し、他方、最後切替入力用ページでないと判定する場合は（ステップＳ５５のＮＯ）、現在表示している入力用ページの前の入力用ページを、ディスプレイ１４ｃに表示する（ステップＳ５８）。
【００６１】
ステップＳ５６では、最後切替入力用ページを削除する。そして、ステップＳ５７において、最後の入力用ページ（最後切替入力用ページの前の入力用ページ）をディスプレイ１４ｃに表示する。
【００６２】
次に、前ページ送り制御におけるページ数の表示制御について、図１２を用いて説明する。図１２（ａ）では、総ページ数が３である文書の最初の入力用ページ（１ページ目の入力用ページ）であって手書き入力がされた状態の入力用ページがディスプレイ１４ｃに表示されている。この図１２（ａ）に示す状態において、前ページ送りボタン２８ａへの入力が行われると、図１２（ｂ）に示すように、最初切替入力用ページがディスプレイ１４ｃに表示される。このとき、最初切替入力用ページは、手書き入力が行われておらず白紙の状態である。この状態においては、最初切替入力用ページは１ページとしてカウントされないため、総ページ数に対するページ位置（番号）はディスプレイ１４ｃに表示されず、この最初切替入力用ページを除いた入力用ページの総ページ数のみがディスプレイ１４ｃに表示される。本実施形態では、最初入力用ページの表示時には、最初切替入力用ページが表示されていることを示す記号「Ｐ」と、「最初切替入力用ページを除いた入力用ページの総ページ数」とを組み合わせたものをディスプレイ１４ｃの下方部分（図中Ｅ１）に表示している。しかし、最初切替入力用ページが表示されていることと、最初切替入力用ページを除いた入力用ページの総ページ数とを報知できるものであれば、これに限られるものではない。そして、図１２（ｂ）の状態で、最初切替入力用ページに手書き入力がされると、最初切替入力用ページは１ページとカウントされて最初の入力用ページとなる（図１２（ｃ）を参照）。このとき、ディスプレイ１４ｃの下方部分（図中Ｅ１）には、図１２（ｃ）に示すように、総ページ数に対する現在のページ位置（番号）と、手書き入力がされて最初の入力用ページとなった１ページ目の入力用ページを含んだ入力用ページの総ページ数とが表示されることになる。尚、最初切替入力用ページに手書き入力がされて最初の入力用ページとなった後に、手書き入力がされた情報が全て削除されると、その入力用ページは、再度最初切替入力用ページとなる。
【００６３】
＜文書保存制御＞
文書保存制御とは、手書き入力を行った１又は複数の入力用ページを記憶装置１６に記憶する制御である。尚、最初切替入力用ページ又は最後切替入力用ページは、保存されない。本実施形態では、文書保存制御として、他の文書が記憶装置１６に記憶されている場合に、ディスプレイ１４ｃに表示されている入力用ページを含む文書を、他の文書とは独立して保存する制御（独立文書保存制御）と、他の文書に付加して１の文書として保存する制御（既存文書付加制御）とがある。尚、他の文書が記憶装置１６に記憶されていない場合には、自動的に、独立文書保存制御が行われる。独立文書保存制御を行うか、既存文書付加制御を行うかについては、独立文書保存制御を行うための第１保存ボタン（図示せず）への入力が行われたか、既存文書付加制御を行うための第２保存ボタン（図示せず）への入力が行われたかによって決定される。尚、第１保存ボタン及び第２保存ボタンは、ディスプレイ１４ｃに表示されるソフトウェアボタンであってもよいし、キースイッチ１４ｂ等のハードウェアボタンであってもよい。
以下、図１３を用いて文書保存制御について説明する。図１３は、文書保存制御を示すフローチャートである。
【００６４】
ステップＳ６１では、保存ボタンへの入力があったか否かを判定する。保存ボタンへの入力があったと判定する場合は（ステップＳ６１のＹＥＳ）、そのボタンが第１保存ボタンであるか否かを判定する（ステップＳ６２）。保存ボタンへの入力がないと判定する場合は（ステップＳ６１のＮＯ）、保存ボタンが入力されるまで待機する。
【００６５】
ステップＳ６２において、第１保存ボタンであると判定する場合は（ステップＳ６２のＹＥＳ）、独立文書保存制御を行い（ステップＳ６３）、第１保存ボタンでないと判定する場合は、つまり、第２保存ボタンへの入力があったと判定する場合は（ステップＳ６２のＮＯ）、記憶装置１６に他の文書が保存されているか否かを判定する（ステップＳ６４）。
【００６６】
ステップＳ６４において、記憶装置１６に文書が保存されていると判定する場合は（ステップＳ６４のＹＥＳ）、既存文書付加制御を行い（ステップＳ６５）、記憶装置１６に文書が保存されていないと判定する場合は（ステップＳ６４のＮＯ）、付加する対象の文書がないので、独立文書保存制御を行う（ステップＳ６３）。
【００６７】
＜独立文書保存制御＞
以下、図１４を用いて、独立文書保存制御について説明する。図１４は、独立文書保存制御を示すフローチャートである。
【００６８】
ステップＳ７１では、文書名の入力を受け付ける。具体的には、ディスプレイ１４ｃに文書名を入力するための入力画面を表示して、ユーザーからの入力を受け付ける。
ステップＳ７２では、文書名が決定された文書を記憶装置１６に保存する。
【００６９】
＜既存文書付加制御＞
以下、図１５を用いて、既存文書付加制御について説明する。図１５は、既存文書付加制御を示すフローチャートである。
【００７０】
ステップＳ８１では、付加対象文書決定制御を行う。付加対象文書決定制御では、ディスプレイ１４ｃに表示された入力用ページを含む文書を記憶装置１６に記憶されたどの文書に付加するかを決定する制御である。
以下、図１６を用いて、付加対象文書決定制御について説明する。図１６は、付加対象文書決定制御を示すフローチャートである。
【００７１】
付加対象文書決定制御では、ステップＳ９１において、予めユーザーによって設定された文書指定方法を取得する。文書指定方法とは、ディスプレイ１４ｃに表示された入力用ページを含む文書を付加するための付加対象文書を指定する方法である。文書指定方法としては、記憶装置１６に記憶された所定の文書を自動的に設定する第１方法と、記憶装置１６に記憶された１又は複数の文書リストをディスプレイ１４ｃに表示させることによってユーザーに選択させる第２方法とが存在する。本実施形態では、文書指定方法として第１方法を設定するか第２方法を設定するかについては、予め、ユーザーによって設定されている。しかし、第２保存ボタンへの入力があったときに、第１方法又は第２方法を選択させる画面をディスプレイ１４ｃに表示することによってユーザーに文書指定方法を選択させる構成をとってもよい。また、本実施形態では、第１方法において自動的に設定する所定の文書を、予め、ユーザーが設定している。
【００７２】
ステップＳ９２では、ステップＳ９１で取得した文書指定方法が第１方法であるか否かを判定する。第１方法であると判定する場合は（ステップＳ９１のＹＥＳ）、ユーザーが予め設定した所定の文書を付加対象文書に決定し（ステップＳ９３）、当該所定の文書に対して、現在ディスプレイ１４ｃに表示されている入力用ページを含む文書を付加して保存する（図１５のステップＳ８２）。すなわち、ディスプレイ１４ｃに表示されている入力用ページを含む文書と、当該文書が付加された文書とは、１つの文書として記憶装置１６に保存される。他方、第１方法でないと判定する場合は（ステップＳ９１のＮＯ）、記憶装置１６に記憶された１又は複数の文書リストを選択可能にディスプレイ１４ｃに表示する（ステップＳ９４）。そして、ディスプレイ１４ｃに表示された文書リストから１の文書が選択されたか否かを判定し（ステップＳ９５）、選択されたと判定する場合は（ステップＳ９５のＹＥＳ）、選択された文書を付加対象文書に決定し（ステップＳ９６）、当該選択された文書に、現在ディスプレイ１４ｃに表示されている入力用ページを含む文書を付加する（図１５のステップＳ８２）。文書リストから１の文書が選択されていないと判定する場合は（ステップＳ９５のＮＯ）、文書リストから１の文書が選択されるまで待機する。
【００７３】
そして、手書き入力モードを終了するための終了ボタン（図示せず）が入力されると、手書き入力モードを終了する。終了ボタンは、ディスプレイ１４ｃに表示されるソフトウェアボタンであってもよいし、ハードウェアボタンであってもよい。
【００７４】
（３）特徴
（３−１）
本実施形態では、制御装置１７の表示制御部１７ｅが、表示部としてのディスプレイ１４ｃに手書き入力がされた状態の最初又は最後の入力用ページ（第１入力用ページに相当）を表示しているときに、ページ送りボタン２８ａ，２８ｂを介して第１方向にページ送りする入力がユーザーによって行われると、ディスプレイ１４ｃに新規の入力用ページ（最初切替入力用ページ又は最後切替入力用ページ（第２入力用ページに相当））を表示する。ここで、第１方向にページ送りする入力が行われるとは、最初の入力用ページを表示しているときであれば、前ページ送りボタン２８ａを介して前ページ送りする入力が行われることであり、最後の入力用ページを表示しているときであれば、次ページ送りボタン２８ｂを介して次ページ送りする入力が行われることである。尚、ユーザーによって入出力装置１４を介して入力される入力情報は、入力情報取得部１７ｂが取得する。
【００７５】
ここで、従来、ワープロアプリや描画アプリ等において、現在表示されているページにおいて文字や画像を入力する余白部分が足りなくなる、或いは、新規のページに文字や画像を入力したいという場面が生じる場合がある。そこで、例えば、特許文献１に開示の情報処理装置のように、次ページ送りの操作を行うと、自動的に新規の白紙ページが追加される装置が提案されている。
しかし、特許文献１に開示の情報処理装置では、次ページ送り入力を行うことにより常に新たに白紙ページが追加されるので、操作ミスによって不要な白紙ページが発生したり、意図的に追加した白紙ページが不要になったりした場合には、そのまま放置してしまうと、無駄な白紙ページが残留したままになることが懸念される。
【００７６】
そこで、本実施形態では、ディスプレイ１４ｃに表示されている最初切替入力用ページ又は最後切替入力用ページに手書き入力がされていない状態で、ページ送りボタン２８ａ，２８ｂを介して第１方向とは逆方向である第２方向にページ送りする入力がユーザーによって行われると、第２入力用ページとしての最初切替入力用ページ又は最後切替入力用ページを自動的に削除して残留させない構成としている。
そして、第２方向にページ送りされることによってディスプレイ１４ｃに表示した第１入力用ページ（すなわち、最初切替入力用ページの次の入力用ページ又は最後切替入力用ページの前の入力用ページ）を最初又は最後の入力用ページとする。
一方で、最初切替入力用ページ又は最後切替入力用ページに手書き入力がされると、手書き入力がされた状態の最初切替入力用ページ又は最後切替入力用ページは、第２方向にページ送りする入力が行われても残留する。すなわち、手書き入力がされた状態の最初切替入力用ページ又は最後切替入力用ページは、最初又は最後の入力用ページとして扱われる。
【００７７】
以上のように、本実施形態では、まず、ページ送りボタン２８ａ，２８ｂへの入力を行うという簡易な操作によって、新規の白紙の入力用ページ（最初切替入力用ページ又は最後切替入力用ページ）を発生させることができる。そして、この最初切替入力用ページ又は最後切替入力用ページは、ディスプレイ１４ｃに表示されるものの、白紙の状態で第２方向への入力が行われると、自動的に削除される。よって、最初切替入力用ページ又は最後切替入力用ページが不要になった場合やユーザーの誤操作によって最初切替入力用ページ又は最後切替入力用ページを発生させた場合であっても、ユーザーがページ送りボタン２８ａ，２８ｂへの入力を行うだけで簡易に最初切替入力用ページ又は最後切替入力用ページを削除できる。従って、無駄な白紙の入力用ページの残留を抑制できる。
【００７８】
（３−２）
本実施形態では、制御装置１７は、最初切替入力用ページ及び最後切替入力用ページに手書き入力がされると、１ページとしてカウントする。
このように、本実施形態では、最初切替入力用ページ又は最後切替入力用ページは、１ページとしてカウントされるには、ユーザーによって手書き入力がされていることが必須であり、ユーザーによって手書き入力がされていない状態では、１ページとしてカウントされない。最初切替入力用ページ及び最後入力用ページがこのような属性を有することによって、ユーザーが最初切替入力用ページ及び最後切替入力用ページを不要とする場合、ページ送りを行うだけで最初切替入力用ページ及び最後切替入力用ページを削除できる。よって、ユーザーの利便性を向上できる。
【００７９】
（３−３）
本実施形態では、制御装置１７は、ディスプレイ１４ｃに表示されている入力用ページを含む１文書の総ページ数を、ディスプレイ１４ｃに表示する。そして、制御装置１７は、最初切替入力用ページ及び最後切替入力用ページに手書き入力がされて１ページとしてカウントすると、ディスプレイ１４ｃに表示された総ページ数を１ページ分増加させる。
このように、最初切替入力用ページ及び最後切替入力用ページが１ページとしてカウントされた場合に入力用ページの総ページ数を増加させることによって、ユーザーは一目で入力用ページの総ページ数を知ることができる。
【００８０】
（３−４）
本実施形態のように、ページ送りボタン２８ａ，２８ｂへの入力を行うことによって簡易に新規の入力用ページが発生するような情報処理装置１０では、誤操作によって、複数の入力用ページが発生することが懸念される。
そこで、本実施形態では、制御装置１７は、最初切替入力用ページ又は最後切替入力用ページが手書き入力がされていない状態でディスプレイ１４ｃに表示されているときに、ページ送りボタン２８ａ，２８ｂを介して第１方向にページ送りする入力が行われても、ディスプレイ１４ｃに更なる新規の入力用ページを表示させない。すなわち、更なる新規の入力用ページをディスプレイ１４ｃに表示することを禁止する。
これにより、誤操作によって無駄な入力用ページが複数発生することを回避できる。また、従来では、無駄な入力用ページが複数発生すると、一々、不要な入力用ページを削除する必要があるが、本実施形態では、予め無駄な入力用ページが複数発生することを回避できるので、このような処理を行う必要がない。
【００８１】
（４）変形例
以上、本発明の第１実施形態について図面に基づいて説明したが、具体的な構成は、上記の第１実施形態に限られるものではなく、発明の要旨を逸脱しない範囲で変更可能である。以下、本発明の他の実施形態について説明する。
【００８２】
（４―１）変形例１Ａ
上記第１実施形態に係る情報処理装置１０では、最初又は最後の入力用ページをディスプレイ１４ｃに表示した状態のいずれもの場合において、第１方向にページ送りする入力が行われると、新規の入力用ページである最初切替入力用ページ又は最後切替入力用ページをディスプレイ１４ｃに表示しているが、これに限られるものではない。例えば、上記第１実施形態の情報処理装置１０に代えて、情報処理装置２００を用いてもよい。
情報処理装置２００では、上記の情報処理装置１０における制御設定に代えて、最初及び最後の入力用ページをディスプレイ１４ｃに表示した状態のいずれかの場合にのみ第１方向にページ送りする入力が行われると、最初切替入力用ページや最後切替入力用ページをディスプレイ１４ｃに表示する、という制御設定が可能である。
以下、情報処理装置２００の情報処理装置１０との相違点である記憶装置２１６について説明する。尚、上記第１実施形態に係る情報処理装置１０と同様の構成については、同番号を付し、説明を省略する。
【００８３】
＜構成＞
図１７は、変形例１Ａに係る情報処理装置２００の記憶装置２１６の機能構成図である。図１８は、変形例１Ａに係る情報処理装置２００の概略前面図である。
記憶装置２１６は、筐体１１の内部に収容されている。
記憶装置２１６は、図１７に示すように、受信情報記憶領域１６ａ、入力情報記憶領域１６ｂ及び動作情報記憶領域１６ｃ以外に、制御情報記憶領域２１６ｄを有している。
制御情報記憶領域２１６ｄは、複数の制御情報を記憶する領域である。複数の制御情報としては、第１制御と、第２制御と、第３制御と、に関する情報がある。
第１制御は、ディスプレイ１４ｃに最初の入力用ページを表示した状態にある場合にのみ、第１方向にページ送りする入力が行われると、最初切替入力用ページをディスプレイ１４ｃに表示する制御である。すなわち、第１制御では、最後の入力用ページをディスプレイ１４ｃに表示中に第１方向にページ送りする入力が行われても、最後切替入力用ページをディスプレイ１４ｃに表示しない。第２制御は、ディスプレイ１４ｃに最後の入力用ページを表示した状態にある場合にのみ、第１方向にページ送りする入力が行われると、最後切替入力用ページをディスプレイ１４ｃに表示する制御である。すなわち、第２制御では、最初の入力用ページをディスプレイ１４ｃに表示中に第１方向にページ送りする入力が行われても、最初切替入力用ページをディスプレイ１４ｃに表示しない。第３制御は、上記第１実施形態の情報処理装置１０のように、ディスプレイ１４ｃに最初又は最後の入力用ページをディスプレイ１４ｃに表示した状態のいずれもの場合において、第１方向ページ送りする入力が行われると、最初切替入力用ページ又は最後切替入力用ページをディスプレイ１４ｃに表示する制御である。
【００８４】
＜制御＞
情報処理装置２００では、ユーザーが、第１〜第３制御を決定するためのボタン（図示せず）への入力を行うと、入力情報取得部１７ｂからその旨が通知されたシステム制御部１７ａからの指示に基づいて、表示制御部１７ｅが、上記の３つの制御の中から１の制御を選択させる選択画面をディスプレイ１４ｃに表示する（図１８を参照）。これにより、ユーザーは、複数の制御から所望の制御を選択できる。
そして、ユーザーによって１つの制御が選択されると、まず、入力情報取得部１７ｂが、ユーザーによって選択された制御の情報を取得すると共に、ユーザーによって選択された制御をシステム制御部１７ａに通知する。システム制御部１７ａは、入力情報取得部１７ｂからの通知を受けると、当該制御における表示制御を実行するように、表示制御部１７ｅに対して指示する。
このように、情報処理装置２００では、新規の入力用ページへの表示切替を、ユーザーの希望や利用状況に応じて行うことが可能である。よって、ユーザーの利便性が向上する。
さらに、制御情報記憶領域２１６ｄは、上記の３つの制御情報以外にも、切替禁止制御の情報を有していてもよい。切替禁止制御は、最初又は最後の入力用ページをディスプレイ１４ｃに表示した状態のいずれもの場合において、第１方向にページ送りする入力が行われても、最初切替入力用ページ又は最後切替入力用ページをディスプレイ１４ｃに表示しない制御である。この場合、さらに、ユーザーの希望や利用状況に応じた制御を行うことができる。
【００８５】
（４−２）変形例１Ｂ
図１９は、本変形例１Ｂに係る情報処理装置３００の概略前面図である。
上記第１実施形態では、付加対象文書決定制御について説明したが、さらに、ディスプレイ１４ｃに表示された入力用ページを含む文書の付加対象文書における付加位置を、予め、ユーザーが設定してもよい。
この場合、付加対象文書における付加位置を決定するためのボタン（図示せず）への入力をユーザーが行うことによって、図１９に示すように、付加対象文書における付加位置を選択するための選択画面がディスプレイ１４ｃに表示される。そして、ユーザーが、ディスプレイ１４ｃに表示された選択画面において付加対象文書における所定の付加位置を選択することによって付加対象文書における所定の付加位置が決定される。付加対象文書における付加位置としては、最初の入力用ページの前、最後の入力用ページの後、直近に表示した入力用ページの前、直近に表示した入力用ページの後、ユーザーが指定した入力用ページの前、及びユーザーが指定した入力用ページの後が挙げられる。ユーザーが入力用ページを指定する場合は、指定の入力用ページを入力するボックスにユーザーがページ位置（番号）を入力することができる。
本変形例では、付加対象文書における付加位置をユーザーが決定できることによって、ユーザーの希望や利用状況に応じた処理が可能になり、ユーザーの利便性が向上する。
尚、付加対象文書における付加位置は、予めユーザーによって決定される構成に限られず、上記第１実施形態の付加対象文書決定制御（図１５のステップＳ８１）を行った後に、図１９に示す選択画面をディスプレイ１４ｃに表示させて、ユーザーに選択させる構成をとってもよい。
また、ユーザーが入力用ページを指定する場合において、ユーザーが指定した入力用ページが存在しない場合、どの位置（例えば、最初の入力用ページの前、最後の入力用ページの後）に付加するかを予め又はその都度設定できるようにしてもよい。
【００８６】
（４−３）変形例１Ｃ
上記第１実施形態では、最初切替入力用ページ又は最後切替入力用ページを白紙の状態でディスプレイ１４ｃに表示しているときに、ページ送りボタン２８ａ，２８ｂを介して第２方向にページ送りする入力が行われた場合、最初切替入力用ページ及び最後切替入力用ページは削除されると説明した。しかし、このような場合において最初切替入力用ページ及び最後切替入力用ページを削除するか否かについては、予め、ユーザーが設定できるようにしてもよい。
この場合、最初切替入力用ページ及び最後切替入力用ページを削除するか否かについての設定ボタン（図示せず）へのユーザーによる入力が行われると、最初切替入力用ページ及び最後切替入力用ページを削除するか否かをユーザーに選択させるための選択画面がディスプレイ１４ｃに表示される（図２０を参照）。ここで、図２０は、最初切替入力用ページ及び最後切替入力用ページを削除するか否かを決定するための選択画面がディスプレイ１４ｃに表示されている状態の情報処理装置４００の概略前面図である。
本変形例では、最初切替入力用ページ及び最後切替入力用ページを削除するか否かをユーザーが決定できることによって、ユーザーの希望や利用状況に応じた処理が可能になり、ユーザーの利便性が向上する。
【００８７】
（４−４）変形例１Ｄ
ディスプレイ１４ｃには、上記第１実施形態で挙げた項目以外にも、日時が表示されてもよい。日時情報は、制御装置１７のタイマー部（図示せず）が管理し、システム制御部１７ａに対して定期的に通知している。また、情報処理装置１０が外部装置と無線通信を行う場合には、ディスプレイ１４ｃには無線電波強度が表示されてもよい。無線電波強度の情報は、無線電波強度管理部（図示せず）が管理しており、システム制御部１７ａに対して定期的に通知している。これにより、さらに、ユーザーに対して多くの情報を提供することができる。
【００８８】
（４−５）変形例１Ｅ
上記第１実施形態では、最初切替入力用ページ又は最後切替入力用ページに手書き入力がされると、最初切替入力用ページ又は最後切替入力用ページは１ページとしてカウントされると説明したが、例えば、最初切替入力用ページ又は最後切替入力用ページに手書き入力がされてから、ユーザーによって手書き入力確定ボタン（図示せず）への入力がされた段階で、最初切替入力用ページ又は最後切替入力用ページを１ページとして扱う構成としてもよい。
また、１の最初切替入力用ページ又は最後切替入力用ページに、手書き入力がされる度に又は手書き入力確定ボタンへの入力が行われる度に、当該入力用ページを独立して記憶装置１６に記憶する独立文書保存制御を行うか既存文書に付加する既存文書付加制御を行うかをユーザーに選択させる構成をとってもよい。この場合、新規の白紙の入力用ページへの手書き入力を行う度に、この入力用ページを独立した文書として保存するか既存文書に付加するかを決定できるので、ユーザーの利便性が向上する。
尚、本変形例において既存文書付加制御を行う場合は、上記変形例１Ｂのように、付加対象の既存文書における付加位置を、ユーザーに対して、予め又はその都度、決定させるようにしてもよい。
【００８９】
（４−６）変形例１Ｆ
上記第１実施形態以外にも、新たに発生された入力用ページを全体のどの位置に挿入させて表示させるかをユーザーが予め又はその都度決定できるようにしてもよい。
【００９０】
＜第２実施形態＞
以下、本発明の第２実施形態について説明する。尚、第１実施形態に係る情報処理装置１０と同様の構成については説明を省略し同番号を付す。第２実施形態に係る情報処理装置５００では、記憶装置１６に記憶された文書のディスプレイ１４ｃへの表示順序が決められており、ページ送りボタン２８ａ，２８ｂを介してページ送りがされると、この表示順序に従って複数の文書を連続的にディスプレイ１４ｃに表示する。
以下、情報処理装置５００について図２１〜図２３を用いて説明する。
【００９１】
（１）構成
図２１は、情報処理装置５００の概略前面図である。図２２は、ディスプレイ１４ｃにおける表示順序を説明するための入力用ページの模式図である。
情報処理装置５００は、情報処理装置１０と同様に、手書き入力モードを有している。情報処理装置５００の手書き入力モードでは、図２１に示すように、ディスプレイ１４ｃの所定位置（本実施形態では、ディスプレイ１４ｃの左下方部分Ｅ２）に、一次元のバー５２０が表示されている。そして、バー５２０上には、記憶装置１６に記憶された文書に対応するマーク５２１が表示されている。マーク５２１は、１文書に対して１つ表示される。ここで、図２１では、記憶装置１６に３つの文書Ａ〜Ｃ（図２２を参照）が記憶されており、文書Ｃにおける所定の入力用ページが表示されている状態のディスプレイ１４ｃを示している。当該ディスプレイ１４ｃにおいて、一番左のマーク５２１が表示順序が最初の文書Ａに対応するマークであり、中央のマーク５２１が表示順序が２番目の文書Ｂに対応するマークであり、一番右のマーク５２１が表示順序が最後の文書Ｃに対応するマークである。本実施形態では、例えば、文書Ａの最後の入力用ページをディスプレイ１４ｃに表示しているときに次ページ送りボタン２８ｂへの入力が行われると、文書Ｂの最初の入力用ページがディスプレイ１４ｃに表示される（図２２を参照）。また、文書Ｂの最初の入力用ページをディスプレイ１４ｃに表示しているときに前ページ送りボタン２８ａへの入力が行われると、文書Ａの最後の入力用ページがディスプレイ１４ｃに表示される（図２２を参照）。
また、本実施形態では、例えば、文書Ｂの最後の入力用ページをディスプレイ１４ｃに表示しているときに次ページ送りボタン２８ｂへの入力が行われると、図２２に示すように、文書Ｃの最初の入力用ページがディスプレイ１４ｃに表示される。また、文書Ｃの最初の入力用ページをディスプレイ１４ｃに表示しているときに前ページ送りボタン２８ａへの入力が行われると、図２２に示すように、文書Ｂの最後の入力用ページがディスプレイ１４ｃに表示される。
【００９２】
尚、ディスプレイ１４ｃに表示される文書に対応した表示物としては、マーク５２１に代えて文字（英数字、漢字等）が表示されてもよい。例えば、文書の保存ファイル名の頭文字や表示順序を示す番号（１、２、・・・、Ｎ）が表示されてもよい。尚、表示物は、バー５２０の上方又は下方に表示されてもよい。
また、本実施形態では、現在ディスプレイ１４ｃに表示している入力用ページを含む文書を矢印マーク５２２で示している（図２１を参照）。これにより、現在ディスプレイ１４ｃに表示されている入力用ページを含む文書の位置をユーザーが一目で把握できる。尚、現在ディスプレイ１４ｃに表示している入力用ページを含む文書をユーザーに示すことができれば、矢印マーク５２２以外のマークや文字等であってもよい。
さらに、本実施形態では、ユーザーがマーク５２１に接触すると、接触されたマーク５２１に対応した文書に含まれる最初の入力用ページがディスプレイ１４ｃに表示される。尚、ここでは、最初の入力用ページをディスプレイ１４ｃに表示しているが、表示される入力用ページは、ユーザーが予め設定していてもよいし、この段階でユーザーに設定させる設定画面を表示することによって設定させてもよい。
【００９３】
（２）制御
本実施形態の制御については、第１実施形態の制御と異なる点のみ説明する。
【００９４】
＜入力用ページ表示制御＞
本実施形態では、手書き入力モードの設定指示があると（図５のステップＳ１）、ステップＳ４へ移行して、記憶装置１６に記憶されたファイルリストをディスプレイ１４ｃに表示する。そして、ステップＳ５、Ｓ６を実行する。
【００９５】
＜入力用ページへの描画制御＞
本実施形態では、ページ送りボタン２８ａ，２８ｂへの入力が行われたとき、上述したように、表示順序が次の文書の最初の入力用ページや表示順序が前の文書の最後の入力用ページをディスプレイ１４ｃに表示することがある。
尚、ディスプレイ１４ｃに表示している入力用ページを含む文書の総ページ数、及び当該総ページ数に対するディスプレイ１４ｃに表示されている入力用ページのページ位置（番号）以外にも、記憶装置１６に記憶されている全ての文書の総ページ数がさらに表示されてもよい。
【００９６】
＜ページ移行制御＞
第１実施形態における最初の入力用ページは、第２実施形態では、表示順序が最初の文書の最初の入力用ページであり、第１実施形態における最後の入力用ページは、表示順序が最後の文書の最後の入力用ページとなる。すなわち、本実施形態では、表示順序が最初の文書の最初の入力用ページ又は表示順序が最後の文書の最後の入力用ページを、手書き入力がされた状態でディスプレイ１４ｃに表示しているときに、ページ送りボタン２８ａ，２８ｂを介して第１方向にページ送りする入力が行われると、最初切替入力用ページ又は最後切替入力用ページがディスプレイ１４ｃに表示されることになる。
また、第１実施形態におけるステップＳ４８（図９）の「次ページ」は、表示順序がＮ番目の最後の入力用ページを表示しているときであれば、表示順序がＮ＋１番目の最初の入力用ページとなる場合もあり、第１実施形態におけるステップＳ５８（図１１）の「前ページ」は、表示順序がＮ番目の最初の入力用ページを表示しているときであれば、表示順序がＮ−１番目の最後の入力用ページとなる場合もある。
尚、最初切替入力用ページ及び最後切替入力用ページの表示方法は上述の方法に限られるものではなく、例えば、表示順序がＮ番目の文書の最後の入力用ページを表示中に次ページ送りボタン２８ｂへの入力が行われたときに最後切替入力用ページを表示してもよい。このとき、さらに、次ページ送りボタン２８ｂへの入力が行われると、最後切替入力用ページを削除して、表示順序がＮ＋１番目の文書の最初の入力用ページを表示することになる。また、表示順序がＮ番目の文書の最初の入力用ページを表示中に前ページ送りボタン２８ａへの入力が行われたときに最初切替入力用ページを表示してもよい。このとき、さらに、前ページ送りボタン２８ａへの入力が行われると、最初切替入力用ページを削除して、表示順序がＮ−１番目の文書の最後の入力用ページを表示することになる。
【００９７】
＜既存文書付加制御の付加対象文書制御＞
付加対象とする文書として、例えば、図２３に示すように、「最後の表示順序の文書」とするか、「最初の表示順序の文書」とするか、「直近に表示していた文書」とするか、又は「ユーザー指定の表示順序の文書」とするかを予めユーザーが選択することによって設定していてもよい。「ユーザー指定の表示順序の文書」が選択される場合には、指定の表示順序を入力させる入力ボックスが入力可能に表示される。ここで、図２３は、付加対象文書を決定するための設定画面がディスプレイ１４ｃに表示された状態の情報処理装置５００の概略前面図である。
【００９８】
（３）特徴
本実施形態では、記憶装置１６に記憶された文書を、ページ送りボタン２８への入力を行うことによってディスプレイ１４ｃに連続的に表示させることができる。本実施形態では、ページ送りボタン２８への入力を行うという簡易な操作で、記憶装置１６に記憶された全ての文書をディスプレイ１４ｃに表示させることができる。また、マーク５２１に接触するだけで簡易に当該マーク５２１に対応する文書に含まれる入力用ページをディスプレイ１４ｃに表示させることもできる。よって、ユーザーの利便性が向上する。
また、マーク５２１や矢印マーク５２２によって、記憶装置１６に記憶された文書数や、現在ディスプレイ１４ｃに表示されている入力用ページを含む文書の位置を一目で把握できる。
【００９９】
（４）変形例
独立文書保存制御において、ステップＳ７１（図１４）で文書名が決定された後に、文書の表示順序をユーザーによって設定させる設定画面をディスプレイ１４ｃに表示してもよい。例えば、当該設定画面では、文書名を決定した文書を、「最後の表示順序の文書とする」か、「最初の表示順序の文書とする」か、「直近に表示した文書の前／後の文書とする」か、又は「ユーザーが指定した表示順序の文書とする」かをユーザーに選択させる。「ユーザーが指定した表示順序の文書とする」が選択された場合は、表示順序を指定するための入力ボックスが入力可能に表示される。尚、上記設定は、ステップＳ７１の後に行うものに限られず、予め、ユーザーが設定していてもよい。
これにより、ユーザーの利便性が向上する。
【符号の説明】
【０１００】
１０，２００，３００，４００，５００  情報処理装置
１４  入出力装置
１４ａ  タッチパネル（入力部）
１４ｂ  キースイッチ（入力部）
１４ｃ  ディスプレイ（表示部）
１７    制御装置（制御部）
２８  ページ送りボタン
２８ａ  前ページ送りボタン（ページ送り部）
２８ｂ  次ページ送りボタン（ページ送り部）
【図１】
0005928490.tif 000002
【図２】
0005928490.tif 000003
【図３】
0005928490.tif 000004
【図４】
0005928490.tif 000005
【図５】
0005928490.tif 000006
【図６】
0005928490.tif 000007
【図７】
0005928490.tif 000008
【図８】
0005928490.tif 000009
【図９】
0005928490.tif 000010
【図１０】
0005928490.tif 000011
【図１１】
0005928490.tif 000012
【図１２】
0005928490.tif 000013
【図１３】
0005928490.tif 000014
【図１４】
0005928490.tif 000015
【図１５】
0005928490.tif 000016
【図１６】
0005928490.tif 000017
【図１７】
0005928490.tif 000018
【図１８】
0005928490.tif 000019
【図１９】
0005928490.tif 000020
【図２０】
0005928490.tif 000021
【図２１】
0005928490.tif 000022
【図２２】
0005928490.tif 000023
【図２３】
0005928490.tif 000024